(57)【要約】【課題】遊技盤を透明な素材で構成する遊技機において、遊技盤に形成した大き目の貫通孔を通して盤面部品の装着を行い易くしながら、その貫通孔と盤面部品とのクリアランスが目立たないようにして、盤面を体裁よく整えること。【解決手段】光透過性素材により形成した遊技盤を備え、該遊技盤には貫通孔を介して盤面部品が設けられ、遊技機において、前記遊技盤の裏面側に配置され、少なくとも前記貫通孔の開口部の全周を囲う領域に対応して設けられる有色の装飾層を有する装飾部が備えられ、前記盤面部品が、前記遊技盤の前面より突出した突出部を有すると共に該突出部が、前記貫通孔に容易に挿脱可能な程度に、その横断面積が前記貫通孔の横断面積よりも小さく構成され、且つ、前記盤面部品の前記遊技盤の裏面側に位置する部分には、少なくとも前記突出部と前記貫通孔により形成される間隙面域を覆う有色の被覆面が備えられている。【選択図】      図８
2018108522.tif 000002
【特許請求の範囲】
【請求項１】
遊技領域を前面側に形成し、光透過性素材により形成した遊技盤を備え、該遊技盤には前記遊技領域から該遊技盤の裏面側にかけて貫通した貫通孔が形成されると共に該貫通孔を介して盤面部品が設けられ、前記遊技領域を流下する遊技球が該盤面部品に接触するように構成した遊技機において、
前記遊技盤の裏面側に配置され、少なくとも前記貫通孔の開口部の全周を囲う領域に対応して設けられる有色の装飾層を有する装飾部が備えられ、
前記遊技盤の裏面側から前記貫通孔に挿入された状態で配設される所定の前記盤面部品が、前記遊技盤の前面より突出した突出部を有すると共に該突出部が、前記貫通孔に容易に挿脱可能な程度に、その横断面積が前記貫通孔の横断面積よりも小さく構成され、且つ、
前記盤面部品の前記遊技盤の裏面側に位置する部分には、少なくとも前記突出部と前記貫通孔により形成される間隙面域を覆う有色の被覆面が備えられている、
ことを特徴とする遊技機。
【発明の詳細な説明】
【技術分野】
【０００１】
本発明は、パチンコ機に代表される遊技機に関するものである。
【背景技術】
【０００２】
従来の一般的な遊技機は、ベニヤ板等の合板により形成された遊技盤に対して、その前面側に装飾を模したセル板などが貼着されると共に盤面部品（例えば入賞装置や装飾部品など）の取り付け用の貫通孔が形成され、その貫通孔に対して前面側から役物が挿入されて遊技盤前面にネジ留めされるようにしている。これに対して、遊技盤の貫通孔の裏面側から盤面部品が取り付けられるようにした遊技機も提案されている。
また、遊技領域を広く（略遊技盤前面）、有効に利用すること等を目的として、遊技盤が光透過性素材、例えば、透明のアクリル樹脂、ポリカーボネイト等の釘打ち、穿孔加工が可能な合成樹脂で成形されたものが提案されている。
そして、上述のような盤面部品を裏面側から取り付ける構成の遊技機については、例えば、次の文献を挙げることができる。
【先行技術文献】
【特許文献】
【０００３】
【特許文献１】特開平９−１４９９６８号公報
【発明の概要】
【発明が解決しようとする課題】
【０００４】
上記引用文献１に記載された遊技機の場合、部品点数を少なくできる（遊技盤面に取り付ける工程を簡略化できる）という反面、盤面部品を遊技盤前面より突出させなければならないという必要性があり、この裏面側から表面側への挿入操作を楽に行うためには、盤面部品と遊技盤貫通孔との間に相応のクリアランスが必要になる。
そのクリアランスを大きく設定すると盤面部品を取り付けた状態で、遊技盤の正面から見ると、クリアランスが目立つことになるし、クリアランスを小さく設定すると盤面部品の取り付けが困難になる。
【０００５】
即ち、所定の厚みのベニヤ板に穿孔された貫通孔と盤面部品との間に相当のクリアランスが存在すると、正面視で、盤面上の装飾図柄（セル板）が穿孔されたエッジ部分が外輪郭となり、盤面部品の外周が内輪郭となり、貫通孔の内奥部（裏面側）が暗くなっていることで、盤面部品の周囲のクリアランスが暗部として目立つようになる。
【０００６】
しかし、貫通孔を通しての盤面部品の取り付けの容易性は必要なものであり、これを活かして、且つ、クリアランスが目立たないようにするには、遊技盤が上述したような透明な素材により成形されていれば、光が貫通孔に透過することで暗部が形成されず、都合よく行くのではないかと考えたが、このような不都合な状態は、遊技盤が透明な素材であっても生じるものであった。
即ち、透明な樹脂の遊技盤面の場合は、遊技盤が透明であることで、一見すると正面視で貫通孔の輪郭が目立たないと考えられがちであるが、透明な遊技盤内を進行する光は、貫通孔の内面を境界として、反射したり、屈折してたりし、直進することが少ないため、その貫通孔の内面の境界が明らかに現れ、結果として、遊技盤の厚み分の暗部として、即ち、クリアランスとして目立つことになるのである。
【０００７】
本発明は、かかる問題点に鑑みて案出されたものであり、遊技盤の略全面を有効な遊技領域とするべく、遊技盤を透明な素材で構成する遊技機において、遊技盤に形成した大き目の貫通孔を通して盤面部品の装着を行い易くしながら、その貫通孔と盤面部品とのクリアランスが目立たないようにして、盤面を体裁よく整えることのできる遊技機を提供することを目的とする。
【課題を解決するための手段】
【０００８】
本発明に係る遊技機は、前記目的を達成するために、
遊技領域を前面側に形成し、光透過性素材により形成した遊技盤を備え、該遊技盤には前記遊技領域から該遊技盤の裏面側にかけて貫通した貫通孔が形成されると共に該貫通孔を介して盤面部品が設けられ、前記遊技領域を流下する遊技球が該盤面部品に接触するように構成した遊技機において、
前記遊技盤の裏面側に配置され、少なくとも前記貫通孔の開口部の全周を囲う領域に対応して設けられる有色の装飾層を有する装飾部が備えられ、
前記遊技盤の裏面側から前記貫通孔に挿入された状態で配設される所定の前記盤面部品が、前記遊技盤の前面より突出した突出部を有すると共に該突出部が、前記貫通孔に容易に挿脱可能な程度に、その横断面積が前記貫通孔の横断面積よりも小さく構成され、且つ、
前記盤面部品の前記遊技盤の裏面側に位置する部分には、少なくとも前記突出部と前記貫通孔により形成される間隙面域を覆う有色の被覆面が備えられている、
ことを特徴としている。
【発明の効果】
【０００９】
本発明によれば、貫通孔を盤面部品の突出部よりも大きな横断面積とし、即ち、大き目の貫通孔とし、容易な挿脱を可能として組み付け作業を容易に行い得るようにしながら、前記遊技盤の裏面側に配置した有色の装飾層と、盤面部品に供えた有色の被覆面とを連続させることで、透明な遊技盤を前面から透かして見たときに、前記貫通孔と盤面部品の突出部との間に生じる大き目のクリアランスが存在しないように見せることが可能となったものであり、組み立て作業の容易性を確保しながら、前面視の体裁を良いものとすることができる効果を奏する。
本発明のその他の利点は、以下の説明から明らかとなろう。
【図面の簡単な説明】
【００１０】
【図１】本発明にかかる遊技機の一例であるパチンコ機の正面図。
【図２】本発明にかかる遊技機の一例であるパチンコ機の右側面図。
【図３】本発明にかかる遊技機の一例であるパチンコ機の平面図。
【図４】本発明にかかる遊技機の一例であるパチンコ機の外枠に対して内枠、前面枠、セット板を夫々開いた状態を示す斜視図。
【図５】本発明にかかる遊技機の一例である遊技盤の背面図。
【図６】本発明にかかる遊技機の一例であるパチンコ機の遊技盤の正面図。
【図７】本発明にかかる遊技機の一例であるパチンコ機の遊技盤の前側からの斜視図。
【図８】本発明にかかる遊技機の一例であるパチンコ機の遊技盤から図柄表示装置までの前側から見た分解斜視図。
【図９】本発明にかかる遊技機の一例であるパチンコ機の遊技盤から図柄表示装置までの後側から見た分解斜視図。
【図１０】本発明にかかる遊技機の一例であるパチンコ機の枠部材の前側から見た斜視図。
【図１１】本発明にかかる遊技機の一例であるパチンコ機の枠部材の正面図。
【図１２】本発明にかかる遊技機の一例であるパチンコ機の枠部材の平面図。
【図１３】本発明にかかる遊技機の一例であるパチンコ機の枠部材の側面図。
【図１４】本発明にかかる遊技機の一例であるパチンコ機のワープ部材の半割り状態の一方の斜視図。
【図１５】本発明にかかる遊技機の一例であるパチンコ機のワープ部材の半割り状態の一方の正面図。
【図１６】本発明にかかる遊技機の一例であるパチンコ機のワープ部材の半割り状態の一方の背面図。
【図１７】本発明にかかる遊技機の一例であるパチンコ機のワープ部材の半割り状態の一方の平面図。
【図１８】本発明にかかる遊技機の一例であるパチンコ機のワープ部材の半割り状態の他方の斜視図。
【図１９】本発明にかかる遊技機の一例であるパチンコ機のワープ部材の半割り状態の他方の正面図である。
【図２０】本発明にかかる遊技機の一例であるパチンコ機のワープ部材の半割り状態の他方の背面図。
【図２１】本発明にかかる遊技機の一例であるパチンコ機のワープ部材の半割り状態の他方の平面図。
【図２２】本発明にかかる遊技機の一例であるパチンコ機の装飾部及び被覆面を示す要部の拡大縦断側面図。
【図２３】本発明にかかる遊技機の一例であるパチンコ機の装飾部及び被覆面を模式的に示す要部の拡大縦断側面図。
【図２４】本発明にかかる遊技機の一例であるパチンコ機の装飾部及び被覆面の変形例―１を模式的に示す要部の拡大縦断側面図。
【発明を実施するための形態】
【００１１】
本発明において、次の語彙を明らかにしておく。
遊技盤を構成する光透過性の素材とは、アクリル樹脂、ポリカーボネイト等の特殊な合成樹脂であり、誘導釘の打ち込みや、貫通孔の穿孔等の加工が可能なもので、透明であるのが好ましいが、光が十分に透過するように極く薄く着色されている素材も含まれる。
本発明の装飾部の装飾層がセル板又は塗着される装飾画像等から構成されるが、これには、それ自体発光機能を持つフィルム状とされたＥＬ（エレクトロルミネセンス）も含まれる。また、これらの遊技盤に対する取り付け方法は、接着剤による接着、熱溶着等適宜の手段を用いてよい。また、装飾画像についても、プリント方式、転写方式等適宜の手段を用い得る。
【００１２】
手段１：本発明にかかる遊技機は、
遊技領域を前面側に形成し、光透過性素材により形成した遊技盤を備え、該遊技盤には前記遊技領域から該遊技盤の裏面側にかけて貫通した貫通孔が形成されると共に該貫通孔を介して盤面部品が設けられ、前記遊技領域を流下する遊技球が該盤面部品に接触するように構成した遊技機において、
前記遊技盤の裏面側に配置され、少なくとも前記貫通孔の開口部の全周を囲う領域に対応して設けられる有色の装飾層を有する装飾部が備えられ、
前記遊技盤の裏面側から前記貫通孔に挿入された状態で配設される所定の前記盤面部品が、前記遊技盤の前面より突出した突出部を有すると共に該突出部が、前記貫通孔に容易に挿脱可能な程度に、その横断面積が前記貫通孔の横断面積よりも小さく構成され、且つ、
前記盤面部品の前記遊技盤の裏面側に位置する部分には、少なくとも前記突出部と前記貫通孔により形成される間隙面域を覆う有色の被覆面が備えられている、ことを特徴とする。
このように構成することで、貫通孔を盤面部品の突出部よりも大きな横断面積とし、即ち、大き目の貫通孔とし、容易な挿脱を可能として組み付け作業を容易に行い得るようにしながら、前記遊技盤の裏面側に配置した有色の装飾層と、盤面部品に供えた有色の被覆面とを連続させることで、透明な遊技盤を前面から透かして見たときに、前記貫通孔と盤面部品の突出部との間に生じる大き目のクリアランスが存在しないように見せることが可能となったものであり、組み立て作業の容易性を確保しながら、前面視の体裁を良いものとすることができるのである。
【００１３】
手段２：手段１の遊技機において、
前記装飾部と前記被覆面が同一色相又は類似の色相とされていることを特徴とする。
このように構成することで、透明な遊技盤を前面から見たときに、遊技盤の裏面に位置する装飾部が、実際には装飾部が存在しない前記被覆面まで延長されて存在するように見え、即ち、前記間隙面域が前記装飾部と同一色相又は類似の色相となって、色相的に連続性を持たせることとなって、その間隙面域にクリアランスが暗部として現れるのを更に効果的に防止することができる。
【００１４】
手段３：手段１又は手段２の遊技機において、
前記装飾部と前記被覆面が同一又は類似の模様とされていることを特徴とする。
このように構成することで、透明な遊技盤を前面から見たときに、遊技盤の裏面に位置する装飾部が、実際には装飾部が存在しない前記被覆面まで延長されて存在するように見え、即ち、前記間隙面域が前記装飾部と同一又は類似の模様となって、模様的に連続性を持たせることとなって、その間隙面域にクリアランスが暗部として現れるのを更に効果的に防止することができる。
【００１５】
手段４：手段１乃至手段３の遊技機において、
前記遊技盤及び装飾部は、その中央部分に図柄表示装置の表示画面に対応する窓部を備えていることを特徴とする。
このような窓部（開口又は透明部）を設けることで、透明な遊技盤による広域の遊技領域を確保しながら、図柄表示装置の配置位置を確保をすることができた。
【００１６】
手段５：手段１乃至手段４の遊技機において、
前記盤面部品が、スルーゲートであり、該スルーゲートの検知信号を送る配線が、前記被覆面及び装飾部により遮蔽された部分を通って遊技盤裏面側の制御装置に接続されていることを特徴とする。
このように、盤面部品が、スルーゲートである場合に、その電気配線を、前記被覆面及び装飾部により遮蔽された部分を通って遊技盤裏面側の制御装置に接続することで、透明な遊技盤の前面視に触れず、体裁が良く、装飾性が向上する。
【００１７】
手段６：手段１乃至手段５の遊技機において、
前記盤面部品の所定のものは、枠部材に取り付けられ、該枠部材は、前面視において前記装飾部により遮蔽される状態で遊技盤の裏面に取り付けられていることを特徴とする。
このように、盤面部品の所定のもの、例えば、左右位置に配置されるスルーゲート等を、枠部材に取り付けておくことで、所定の盤面部品を、枠部材を取り付けることで、一度に遊技盤に取り付けることができ、製造工程を簡略化できる。
【００１８】
手段７：手段１乃至手段６の遊技機において、
前記枠部材が、前記図柄表示装置の外縁部分とそれに対応する遊技盤裏面側との間に配置することを特徴とする。
このように構成することで、隙間をなくし、遊技盤裏面への不正侵入防止を果たすことができる。
【００１９】
手段８：手段１乃至手段７の遊技機において、
前記装飾部の装飾層がセル板又は装飾画像からなり、該セル板又は装飾画像が遊技盤の裏面に貼着又は塗着されるものにおいて、該セル板又は装飾画像が遊技盤に貼着又は塗着された後に前記貫通孔が穿孔され、前記盤面部品の被覆面が前記貫通孔の周縁から前記突出部の付け根部に渡って設けられていることを特徴とする。
このように構成した場合、遊技盤の裏面の装飾部は、前記貫通孔の部分だけ切り欠いた状態となり、その装飾部は、貫通孔の周縁ではそのエッジ部分まで存在でき、他方、被覆面を、前記貫通孔の周縁から前記突出部の付け根部に渡って設けるようにすれば、自動的に被覆面と装飾部とが途切れることなく連続できて、これを前面視でみると、色相又は模様の連続性故に、前記貫通孔と前記盤面部品の突出部の周囲との間のクリアランスが存在しないように見えるのである。
【００２０】
手段９：手段１乃至手段７の遊技機において、
前記装飾部の装飾層がセル板又は装飾画像からなり、該セル板又は装飾画像が遊技盤の裏面に貼着又は塗着されるものにおいて、該セル板又は装飾画像が、前記貫通孔よりも大きな面積で切り欠いた開口の状態前記遊技盤に貼着又は塗着され、前記盤面部品の被覆面が前記貫通孔の周縁を超えてセル板又は装飾画像に繋がる位置から前記前記突出部の付け根部に渡って設けられている、ことを特徴とする。
このような構成とすれば、セル板を予め貫通孔位置に大きめに穿孔しておき、或いは、装飾画像についても、転写或いは塗装（ペイント）に際して予め貫通孔相当部分を大きめに除去した状態で実施することができるので、作業に精度が要求されず、簡単に済む。その反面、加工（塗着等）が簡単な盤面部品の被覆面の方を大き目に形成することで、簡単に装飾部との連続性を確保できるのである。
【００２１】
手段１０：手段１乃至手段７の遊技機において、
前記装飾部の装飾層がセル板又は装飾画像からなり、該セル板又は装飾画像が遊技盤の裏面に貼着又は塗着されるものにおいて、該セル板又は装飾画像が遊技盤に貼着又は塗着された後に前記貫通孔が穿孔されるか、又は、該セル板又は装飾画像が、前記貫通孔よりも大きな面積で切り欠いた開口の状態前記遊技盤に貼着又は塗着され、前記盤面部品の被覆面が前記突出部の付け根部から前記貫通孔の周縁のセル板又は装飾画像に重複する状態で設けられている。
このような構成とすることで、装飾部及び被覆面の形成の精度が緩くて済み、製造が簡単となる。少なくとも被覆面は、例えば塗膜層乃至プリント膜層といった極く薄い層であるので、これがセル板又は装飾画像に重ねられる状態となっても、厚みによる不都合が生じないものである。
【００２２】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、で、弾球が通過する遊技領域が前面から目視される構成のものであれば、その他、遊技球を用いる種々の形態の遊技機に適用することができる。
【００２３】
実施形態１
（パチンコ機の正面構成）
【００２４】
図１は本実施形態のパチンコ機１０の正面図であり、図２は、パチンコ機１０の左側面図であり、図３は、その平面図である。図４は、外枠１１に対して内枠１２と前面枠セット１４と、セット板４００を開放した状態を示す斜視図である。（但し、図４では便宜上、遊技盤３０面上の遊技領城内の構成〔釘、センター役物、貫通孔等〕を空白で示しているが、アウト口３６は描いてある）。
【００２５】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
【００２６】
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリル−ブタジエン−スチレン）樹脂から成る。こうすることで、粘性が高く衝撃に強くでき、低コストで製造できるという利点が発揮される。
【００２７】
前面枠セット１４は、大別すると、その最下部に設けられた球受皿部分と、この球受皿部分よりも上側の範囲に形成される窓枠部分とを備えている。前記球受皿部分は、前面枠セット１４の下側部分に対してネジ等の締結具により固定されている。この球受皿部分の前面側には、下皿１５と球抜きレバー１７と遊技球発射ハンドル１８と灰皿２２とが設けられている。また、球受皿としての下皿１５は、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００２８】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射ソレノイドなどで構成されている。
【００２９】
音出力口２４は、前面枠セット１４の左右上端部位置に設けられたスピーカ（図示略）からの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００３０】
なお、前面枠セット１４はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００３１】
また、前面枠セット１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠セット１４は内枠１２の外側壁（リブ）１２ｂ内に嵌まり込むようにして取り付けられている。
【００３２】
つまり、この前面枠セット１４の側面の少なくとも一部（本実施例においては全周）が内枠１２の外側壁（リブ）１２ｂ内に嵌まり込むようにして取り付けられているので、内枠１２と前面枠セット１４との隙間から異物（針状あるいは薄板状等のものであって、具体的には針金、ピアノ線、セルロイド板等）を差し入れるなどの不正行為を防止できるようになっている。
【００３３】
一方、前記前面枠セット１４の球受皿部分のうち下皿１５の上方位置には、遊技球の受皿としての上皿１９（図１参照）が前面枠セット１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００３４】
図４に示すように、内枠１２は、外形が矩形状の樹脂ベース２０を主体に構成されており、樹脂ベース２０の中央部には略円形状の窓部孔２１が形成されている。
【００３５】
そして、図４中の符号６７は、上皿１９（図１）に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠セット１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００３６】
また、前面枠セット１４を閉鎖した状態では、当該前面枠セット１４の裏面に設けられた球通路樋５９（図４参照）によりシャッタが押し開けられて略水平状態になり、排出口６７の方へ排出された遊技球はもれなく球通路樋５９を通って上皿１９に排出されるようになる。従って、本パチンコ機１０においては、前面枠セット１４の開放に際し払出通路内等の遊技球がパチンコ機１０外にこぼれ落ちてしまうといった不都合が防止できるようになっている。
【００３７】
更に、図４に示すように、内枠１２の上側には、前面枠セット１４が内枠１２に対して開かれたことを検出する前面枠セット開検出スイッチが設けられている。前面枠セット１４が開かれると、前面枠セット開検出スイッチからホール内（パチンコ店内）用コンピュータヘ出力されるようになっている。また、前面枠セット１４が閉じられると、前面枠セット１４の金属製の補強板が、内枠１２の一対の金具に接触するようになっており、前面枠セット１４のアースが確保されている。
そして、図４に示す通り、前記内枠１２の外枠１１に対する枢着部７２５に近い前記遊技盤３０のコーナーが、図６に示すように、略三角形状（遊技盤の中心側は円弧状）に角落ち７２０されている。前記枢着部７２５は、図４に示すように、外枠１１に固定のブラケット７２６（上端部）（下端部は図外）に、内枠１２に固定の取り付け金具を枢着することで構成されている。
【００３８】
ここで、前述した前面枠セット１４について、図１乃至図４を参照しつつより詳細に説明する。
【００３９】
前面枠セット１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００４０】
加えて、前面枠セット１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した電飾部１０２が左右対称に設けられ、該電飾部１０２の中央であってパチンコ機１０の最上部には、同じくＬＥＤ等の発光部を内蔵した中央電飾部１０３が設けられている。
【００４１】
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００４２】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００４３】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００４４】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
そして、樹脂ベース２０の後側には、図４及び図６他に示す遊技盤３０が着脱可能に装着されている。図６他に示すように、遊技盤３０は、ここでは、特殊な樹脂配合の透明なアクリル樹脂で、略四角形状に構成され、上部一方のコーナーが肩落ちされており（後に述べる）、その周縁部が樹脂ベース２０（内枠１２）の裏側に当接した状態で取着されている。
【００４５】
従って、遊技盤３０の前面部の略中央部分が樹脂ベース２０の窓部孔２１を通じて内枠１２の前面側に露出した状態となっている。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図５に示すように、略三角形状に角落ち（切り欠き）７２０されている。
この遊技盤３０については、図６乃至図２１を用いて後に詳述する。
【００４６】
（パチンコ機の背面構成）
図５に基づき、パチンコ機１０の背面構成について全体の概要を説明する。
パチンコ機１０にはその背面（実際には内枠１２および遊技盤３０の背面）において、各種制御基板が上下に並べられるようにして配置されており、さらに、遊技球を供給するための遊技球供給装置（払出機構）や樹脂製の保護カバー等が取り付けられている。
【００４７】
本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板８０と音声ランプ制御基板とが夫々取付台に搭載してユニット化されている。払出制御基板、発射制御基板および電源基板は、遊技盤３０以外のセット板を構成する排出通路盤にユニット化している。ここでは便宜上、主制御基板が設けられたユニットを「第１制御基板ユニット２０１」と称し、ランプ制御基板が設けられたユニットを「第２制御基板ユニット２０２」と称することとする。
【００４８】
第１制御基板ユニット２０１、第２制御基板ユニット２０２は、ユニット単位で何ら工具等を用いずに着脱できるよう構成されており、さらにこれに加え、一部に支軸部を設けて内枠１２または遊技盤３０の裏面に対して開閉できる構成となっている。これは、各ユニット２０１、２０２やその他構成が前後に重ねて配置されても、隠れた構成等を容易に確認することを可能とするための工夫でもある。
【００４９】
第１制御基板ユニット２０１は、取付台（図外）を有し、この取付台に主制御装置が搭載されている。ここで、主制御装置は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる基板ユニットに収容された構成とされる。
【００５０】
第２制御基板ユニット２０２には、音声ランプ制御装置が含まれ、払出制御装置、発射制御装置および電源制御装置は周知の通り制御の中枢をなすＣＰＵや、その他ＲＯＭ、ＲＡＭ、各種ポート等を含む制御基板を具備しており、払出制御装置により、賞品球や貸出球の払出が制御される。
【００５１】
（遊技盤の構成）
図６乃至図２１は、遊技盤３０及びこれに関わる盤面部品等の構成を示す。
遊技盤３０の構成を示す正面図である。遊技盤３０は、既述のとおり、特殊な樹脂配合の透明なアクリル樹脂（誘導釘の打ち込み許容し、また、穿孔が容易に行ない得る等の特性を持つ）で、約１０ｍｍの厚みで成形され、この遊技盤３０の面には遊技領域に設けられる入賞装置等の盤面部品が設けられるが、この盤面部品としては、遊技盤３０の表面側から設けられる誘導釘等と、遊技盤３０の裏面側から貫通孔を介して表面側に突出させて設けられるスルーゲート等があるが、以下順次詳述する。
【００５２】
前記遊技盤３０の中央下方には、始動口３３が配置され、此れに対応した入球検出センサが、遊技盤３０の背面に設けられており、このセンサは、図示しない電気ハーネスを通じて後述する主制御基板が設けられた第１制御基板ユニット２０１に接続されている。
【００５３】
そして、この始動口３３に遊技球が入球した場合には、前記各検出センサで検出され、この検出センサの出力に基づいて、上皿１９（または下皿１５）へ所定数の賞品球が払い出されると共に、始動口３３に遊技球が入球した場合には、上述した抽選が開始されることになる。
【００５４】
尚、前記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
【００５５】
また、遊技盤３０の背後には液晶パネルを用いた図柄表示装置４２が配置されており、その左右横側前部には、スルーゲート３４，３４が配置される。これらのスルーゲート３４，３４は、遊技球の通過によって、後述の始動口３３の羽根物を開閉作動させる（この開閉は、ここでは、大当たり抽選とは別途行われる抽選による当りを必要とする）。
【００５６】
その他に、遊技盤３０の左右下方位置には、意匠部３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されている。同様に、誘導機能を有する風車５５が所要の位置、ここでは、スルーゲート３４，３４の横下方の誘導釘の下方に配設されている。
【００５７】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００５８】
尚、レールユニット５０はフッ素樹脂を添加して成形されているので、遊技球の摩擦抵抗を少なくできる。内レール５１は上方の約１／４ほどを除いて略半円環状に形成され、その一部（主に左側部）と外レール５２が向かい合うようにして、所定の間隔を隔てて外レール５２が略半円環状に形成されている。
【００５９】
かかる場合、内レール５１と外レール５２とにより誘導レールが構成され、これら各レール５１、５２が所定間隔を隔てて並行する部分（向かって左側の部分）により遊技球の打ち出しの球案内通路が形成されている。なお、球案内通路は、遊技盤３０との当接面を有した溝状、すなわち手前側を開放した横断面視で溝状に形成されている。
【００６０】
内レール５１の先端部分（図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００６１】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
【００６２】
なお、遊技盤３０の右下隅部および左下隅部は、証紙（例えば製造番号が記載されている）等のシール（図６のＳ１，Ｓ２）やプレートを貼着するためのスペースとなっている。遊技盤３０の右下隅部や左下隅部に、証紙等のシール（図６のＳ１，Ｓ２）を貼着することで、遊技盤３０と証紙との一義性を持たせることができる。
【００６３】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
【００６４】
従って、遊技領域と言った場合には誘導レール部分は含まないため、遊技領域の向かって左側限界位置は、外レール５２によってではなく内レール５１によって特定される。同様に、遊技領域の向かって右側限界位置は、内レール５１によって特定される。また、遊技領城の下側限界位置は遊技盤３０の下端位置によって特定される。また、遊技領域の上側限界位置は外レール５２によって特定される。
【００６５】
前記樹脂ベースにおいて、窓部孔２１（遊技盤３０）の下方には、遊技球発射装置３８より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００６６】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００６７】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００６８】
なお、詳しい図面の開示は省略するが、遊技球発射装置３８には、前面枠セット１４側の球出口（上皿１９の最下流部より通じる球出口）から遊技球が１つずつ供給される。また、遊技球発射装置３８には打球杆が設けられ、軸部に沿った打球杆のスライド移動に伴い遊技球が発射される。
【００６９】
（特徴構成）
次に、遊技盤３０の特徴となる具体的構造について、以下詳述する。
上述の遊技領域を前面側に形成し、光透過性素材により形成した遊技盤３０には、各種の盤面部品を挿入して設置するために、例えば、図８に示すように、前記遊技領域から該遊技盤３０の裏面側にかけて貫通した貫通孔、ここでは、上方において、ワープ通路部材６２の傘部分６３用の円弧状のスリット型の貫通孔６３Ａ、そのワープ通路部材６２の入球口部６４用の略長円形の貫通孔６４Ａ、やや下方の遊技盤３０の左右に配置されたスルーゲート３４，３４用のトラック型の貫通孔３４Ａ，３４Ａ、遊技球を往復転動させる波型のステージ６１の入球口６５を備えた一部を突出させるステージ用貫通孔６１Ａ、前記ステージの左右端部位置に前方に向けて傾斜状態で突出させた誘導片６０，６０用のスリット状の貫通孔６０Ａ，６０Ａ、このステージ６１から排出される位置に設けた始動口３３とこれに一体の羽根物の可変入賞装置６７（始動入賞装置ともいう）の一部を突出させるための可変入賞装置６７用の貫通孔６７Ａ、及び、最も下方に位置する大入賞装置６６の一部及びこれと一体の意匠部３５用の貫通孔６６Ａ等が穿孔され、或いは切削されて形成されている。
【００７０】
このように、各種の貫通孔を介して上記の盤面部品（ワープ通路部材６２の入賞口部６４、傘部分６３、スルーゲート３４，３４、ステージ６１の入球口６５部、誘導片６０，６０、可変入賞装置６７、大入賞装置６６及びこれと一体の上記一般入賞口３１、３１の意匠部）が設けられ、前記遊技領域を流下する遊技球が該盤面部品に接触するように遊技機が構成されている。
これらの盤面部品は、前記遊技盤３０の裏面側から前記貫通孔（貫通孔６３Ａ、貫通孔６４Ａ，貫通孔３４Ａ，３４Ａ，貫通孔６０Ａ，６０Ａ，ステージ用貫通孔６１Ａ，貫通孔６７Ａ，貫通孔６６Ａ）に挿入された状態で配設されるが、それぞれ前記遊技盤３０の前面より突出した突出部、即ち、ワープ通路部材６２の傘部分６３である突出部６３’、スルーゲート３４，３４の突出部３４’，３４’、ステージ６１の入球口６５を備えた一部である突出部６１’、誘導片６０，６０の突出部６０’６０’、可変入賞装置６７の一部である突出部６７’、大入賞装置６６の一部である突出部６６’を有すると共にこれらの突出部（突出部６３’、突出部３４’，３４’、突出部６１’、突出部６０’，６０’、突出部６７’、突出部６６’）が、前記貫通孔（貫通孔６３Ａ、貫通孔６４Ａ，貫通孔３４Ａ，３４Ａ，貫通孔６０Ａ，６０Ａ，ステージ用貫通孔６１Ａ，貫通孔６７Ａ，貫通孔６６Ａ）に容易に挿脱可能な程度に、その横断面積が前記貫通孔（貫通孔６３Ａ、貫通孔６４Ａ，貫通孔３４Ａ，３４Ａ，貫通孔６０Ａ，６０Ａ，ステージ用貫通孔６１Ａ，貫通孔６７Ａ，貫通孔６６Ａ）の横断面積よりも、挿入、離脱が容易な程度に小さく構成されている。
【００７１】
図８から図２０に示すように、前記の盤面部品は次のように構成されている。図８及び図９において、遊技盤３０の、前面側から見た分解斜視図と、背面側から見た斜視図が描かれている。
前記遊技盤３０が最前部に位置され、その裏面には、セル板からなる装飾層６８Ａを有する装飾部６８が貼り付けられる。このように、前記遊技盤３０の裏面側に配置され、少なくとも前記貫通孔（貫通孔６３Ａ、貫通孔６４Ａ，貫通孔３４Ａ，３４Ａ，貫通孔６０Ａ，６０Ａ，ステージ用貫通孔６１Ａ，貫通孔６７Ａ，貫通孔６６Ａ）の開口部の全周を囲う領域に対応して設けられる有色の装飾層６８Ａを有する装飾部６８が備えられている。
【００７２】
この装飾部６８（セル板）は、所定の色彩で着色されて所定の絵柄等を有すると共に、前記遊技盤３０の各貫通孔（貫通孔６３Ａ、貫通孔６４Ａ，貫通孔３４Ａ，３４Ａ，貫通孔６０Ａ，６０Ａ，ステージ用貫通孔６１Ａ，貫通孔６７Ａ，貫通孔６６Ａ）に対応させた貫通孔である孔部６３Ｂ、孔部６４Ｂ，孔部３４Ｂ，３４Ｂ，孔部６０Ｂ，６０Ｂ，ステージ用孔部６１Ｂ，孔部６７Ｂ，孔部６６Ｂが形成されている。これらの孔部は、実際の作業としては、先ず、遊技盤３０の裏面に装飾層６８Ａであるセル板を貼り付けた後に、カットで形成されるが、予め、セル板に切り欠き作業を行った後に遊技盤３０の裏面に貼り付けるようにしてもよい。
【００７３】
また、前記遊技盤３０及び装飾部６８は、その中央部分に図柄表示装置４２の表示画面に対応する窓部６８Ｂを備えている。
このような窓部６８Ｂ（装飾部６８の開口又は透明部、遊技盤３０は、盤面部品を設けることなく、且つ、実質透明である）を設けることで、透明な遊技盤３０による広域の遊技領域を確保しながら、図柄表示装置４２の配置位置を確保をすることができた。
【００７４】
前記装飾部６８の裏面には、前記ステージ６１が位置され、これに前記入球口６５を備えた一部とその左右端部に設けた誘導片６０，６０が備えられている。ステージ６１は、図示のごとく、前後方向（遊技機の表裏）に横方向に伸びる２列の誘導路６１ａ，６１ｂが形成され、前側の中央の位置には、波形の頂部に後側の誘導路６１ｂに向けて遊技球を案内する溝が形成され、その溝の後側に入球口６５が開口されている。この入球口は、後側の誘導炉６１ｂから下方に至るワープ通路を経て、前側の誘導路６１ａの前面に開口された排出口６８ｃから下方に遊技球を排出するように構成されている。
【００７５】
前記ステージ６１の上方には、図柄表示装置４２が透視できる空間を隔てて、ワープ通路部材６２が配置され、これらのステージ６１、ワープ通路部材６２を囲う枠部材６９が設けられ、この枠部材６９の左右の横側辺部６９ａ，６９ｂに、内方側に向けて前述のスルーゲート３４，３４がアームを介して突出敷設されている。更に、一方の横側辺部６９ａのスルーゲート３４の上方位置には、演出用ランプ及び状態報知ランプユニットを設ける枠部６９ｃが内方側に向けて突出するように設けられている。
ここでは、スルーゲート３４，３４と演出用ランプ及び状態報知ランプユニットが枠部材６９への取り付け対象となっているが、その他の盤面部品も適宜枠部材６９に取り付けてもよく、該枠部材６９は、前面視において前記被覆面３４Ｄ及び装飾部６８により遮蔽される状態で遊技盤３０の裏面に取り付けられるのが好ましい。
このように、盤面部品の所定のもの、例えば、左右位置に配置されるスルーゲート等を、枠部材に取り付けておくことで、複数の盤面部品を、枠部材を取り付けることで、一度に遊技盤に取り付けることができ、製造工程を簡略化できる。
そして、この枠部材６９の裏面位置に、この枠部材６９に対応する面積の液晶ディスプレイである図柄表示装置４２が配置される。
前記枠部材６９は、前記図柄表示装置４２の外縁部分とそれに対応する遊技盤裏面側との間に配置されている。このように構成することで、隙間をなくし、遊技盤裏面への不正侵入防止を果たすことができる。
【００７６】
上記ワープ通路部材６２の傘部分６３は、図１４乃至図１７に示す如き上方に凸となった湾曲状に形成され、その上部中央位置には、入球口６３ａが設けられている。そして、図１８乃至図２１に示す如く形成されたワープ通路部材６２の本体部６２ａが、この傘部分６３の後側に取り付けられ。図示の如き半割り構造とされ、その本体部６２ａに、左右下方に排出口６２ｃ，６２ｃを持つワープ通路６２ｂが形成されている。
【００７７】
そして、前記盤面部品（ワープ通路部材６２の傘部分６３、スルーゲート３４，３４、ステージ６１の入球口６５を備えた一部、誘導片６０，６０、可変入賞装置６７の一部大入賞装置６６の一部及びこれと一体の上記意匠部３５）の前記遊技盤３０の裏面側に位置する部分には、少なくとも前記突出部と前記貫通孔により形成される間隙面域を覆う有色の被覆面が備えられている。
【００７８】
かかる構成について、図２２及び図２３に基づいて詳述する。ここでは、スルーゲート３４，３４の一つについて説明し、上述した他の盤面部品については、実質的に同様に同様の構造であるので、それらの説明を省略する。
即ち、図２２に拡大縦断側面図を示すが、透明な遊技盤３０に穿孔された貫通孔３４Ａに、スルーゲート３４の突出部３４’が挿入されるが、その突出部３４’の横断面積が、前記貫通孔３４Ａよりも挿入離脱が容易な程度に小さくされている。これによって形成される両者間のクリアランスとして現せば、約１ｍｍ程度である。このクリアランスは、挿入離脱を行うだけであれば、０．２ｍｍ〜０．５ｍｍ程度で十分であるところ、組み付け、分解作業を行い易くするために、大幅なクリアランスとしている。
【００７９】
前記遊技盤３０の裏面の装飾部６８には、前記貫通孔３４Ａと同じ面積の開口３４Ｂが形成されている。
更に、図２３に模式的に拡大した縦断側面図に示すように、スルーゲート３４の突出部３４’の付け根部分の前面部、即ち、クリアランス相当部分、即ち、間隙面域には、被覆面３４Ｄが設けられ、そこには、前記装飾層６８Ａと実質同じ色相で彩色が施されている。
【００８０】
尚、前記スルーゲート３４，３４については、その検知信号を送る配線が、前記被覆面３４Ｄ及び装飾部６８により遮蔽された部分を通って遊技盤裏面側の制御装置に接続される。このように、スルーゲート３４の電気配線を、前記被覆面３４Ｄ及び装飾部６８により遮蔽された部分を通って遊技盤裏面側の制御装置に接続することで、透明な遊技盤３０の前面視に触れず、体裁が良く、装飾性が向上する。
【００８１】
上述のように、前記装飾部６８の装飾層６８Ａが、あたかも遊技盤３０の裏面から、穿孔されて遊技盤３０が存在しない貫通孔３４Ａの前記クリアランス部分まで連続して存在するように見える。即ち、前面視で透明な遊技盤３００を透かして見ると、クリアランスを通して、その被覆面３４Ｄが見えることになるので、装飾層６８Ａと実質同じ色相で彩色が施されているその被覆面３４Ｄが目に留まってクリアランスが存在しないかの様に受け止められるのであり、これによって、大き目のクリアランスを備えて組み立て上の便宜を図っても、目視の体裁が悪くならないのである。
【００８２】
上述のように、前記装飾部６８と前記被覆面３４Ｄが同一色相又は類似の色相とされていることにより、透明な遊技盤３０を前面から見たときに、遊技盤３０の裏面に位置する装飾部６８が、実際には装飾部６８が存在しない前記被覆面３４Ｄまで延長されて存在するように見え、即ち、前記間隙面域（クリアランス相当部分）が前記装飾部６８と同一色相又は類似の色相となって、色相的に連続性を持たせることとなって、その間隙面域にクリアランスが暗部として現れるのを更に効果的に防止することができるのである。
【００８３】
勿論、この前記装飾部６８と前記被覆面３４Ｄは、同一又は類似の模様とされていてもよいものである。
この場合にも、透明な遊技盤３０を前面から見たときに、遊技盤３０の裏面に位置する装飾部６８が、実際には装飾部６８が存在しない前記被覆面３４Ｄまで延長されて存在するように見え、即ち、前記間隙面域が前記装飾部６８と同一又は類似の模様となって、模様的に連続性を持たせることとなって、その間隙面域にクリアランスが暗部として現れるのを更に効果的に防止することができる。
【００８４】
（装飾層及び被覆面の変形例−１）
次に、装飾層６８Ａ及び被覆面３４Ｄの変形例−１について、図２４に基づいて述べる。
ここでは、前記装飾部６８がセル板又は装飾画像からなり、該セル板又は装飾画像が遊技盤３０の裏面に貼着又は塗着されるものにおいて、該セル板又は装飾画像が、前記貫通孔３４Ａよりも大きな面積で切り欠いた開口３４Ｂの状態で前記遊技盤３０に貼着又は塗着され、前記盤面部品であるスルーゲート３４の被覆面３４Ｄが前記貫通孔３４Ａの周縁を超えてセル板又は装飾画像に繋がる位置から前記前記突出部３４’の付け根部に渡って設けられている。
【００８５】
このような構成とすれば、セル板を予め貫通孔位置に大きめに穿孔しておき、或いは、装飾画像についても、転写或いは塗装（ペイント）に際して予め貫通孔相当部分を大きめに除去した状態で実施することができるので、作業に精度が要求されず、簡単に済む。その反面、加工（塗着等）が簡単な盤面部品の被覆面の方を大き目に形成することで、簡単に装飾部との連続性を確保できるのである。
【産業上の利用可能性】
【００８６】
本発明は、遊技球を用い、遊技領域が目視できる遊技機で、その遊技盤を透明にし、そこに盤面部品を備えるものであれば、適宜の機種に適用できるので、その適用範囲は広いものである。
【符号の説明】
【００８７】
３４：スルーゲート
３４Ａ：貫通孔（スルーゲート用）
３４Ｂ：開口（装飾部）
３４Ｄ：被覆面
４２：図柄表示装置
６０：誘導片
６１：ステージ
６２：ワープ通路部材
６３：傘部材
６９：枠部材
６６：大入賞装置
６７：可変入賞装置
６８：装飾部
６８Ａ：装飾層
【図１】
2018108522.tif 000003
【図２】
2018108522.tif 000004
【図３】
2018108522.tif 000005
【図４】
2018108522.tif 000006
【図５】
2018108522.tif 000007
【図６】
2018108522.tif 000008
【図７】
2018108522.tif 000009
【図８】
2018108522.tif 000010
【図９】
2018108522.tif 000011
【図１０】
2018108522.tif 000012
【図１１】
2018108522.tif 000013
【図１２】
2018108522.tif 000014
【図１３】
2018108522.tif 000015
【図１４】
2018108522.tif 000016
【図１５】
2018108522.tif 000017
【図１６】
2018108522.tif 000018
【図１７】
2018108522.tif 000019
【図１８】
2018108522.tif 000020
【図１９】
2018108522.tif 000021
【図２０】
2018108522.tif 000022
【図２１】
2018108522.tif 000023
【図２２】
2018108522.tif 000024
【図２３】
2018108522.tif 000025
【図２４】
2018108522.tif 000026